(57)【要約】【課題】    この発明は、保護装置の紛失や取り付け忘れがない陳列棚用ブラケットを提供することを課題とする。【解決手段】  この発明は、サポート部材に上下多段に設けられたスリットに、後端部に設けられた係止フックが挿入され片持ち状に支持され、上部に棚板が載置される陳列棚用ブラケット１であって、ブラケット１の先端部１３に装着する本体部２１と、この本体部２１の上部から上方に立ち上がる立ち上がり部２２と、前記本体部２１に設けられた挿入部とを有する樹脂製先端部材２を備え、前記ブラケット１の先端部３を前記挿入部に挿入し、前記先端部材２を前記ブラケット１に装着した。【選択図】    図８
2018183244.tif 000002
【特許請求の範囲】
【請求項１】
サポート部材に上下多段に設けられたスリットに、後端部に設けられた係止フックが挿入され片持ち状に支持され、上部に棚板が載置される陳列棚用ブラケットであって、
前記ブラケットの先端部に装着する本体部と、この本体部の上部から上方に立ち上がる立ち上がり部と、前記本体部に設けられた挿入部とを有する樹脂製先端部材を備え、前記ブラケットの先端部を前記挿入部に挿入し、前記先端部材を前記ブラケットに装着したことを特徴とする陳列棚用ブラケット。
【請求項２】
前記本体部の底面に抜け止め用テーパー部が設けられ、前記ブラケットの先端部に抜け止め用テーパー部が嵌まり込む凹部が設けられ、前記先端部の凹部に抜け止め用テーパー部を嵌め込んで、前記ブラケットの先端部に前記先端部材が装着されていることを特徴とする請求項１に記載の陳列棚用ブラケット。
【請求項３】
前記抜け止め用テーパー部は、前記ブラケットの先端部が挿入される本体部の挿入部の挿入口から立ち上がり部に向かって高さが高くなるようにテーパー状に形成され、前記先端部の凹部は、先端から後端に向かって深さが浅くなるようにテーパー状に形成されていることを特徴とする請求項２に記載の陳列棚用ブラケット。
【請求項４】
前記抜け止め用テーパー部の立ち上がり部側の端部は底面から直交するように形成され、前記先端部の凹部の先端側は上下方向に直交するように形成されていることを特徴とする請求項３に記載の陳列棚用ブラケット。
【請求項５】
前記立ち上がり部に空隙部が設けられていることを特徴とする請求項１から４のいずれか１項に記載の陳列棚用ブラケット。
【発明の詳細な説明】
【技術分野】
【０００１】
この発明は、商品陳列棚の棚板を載置する陳列棚用ブラケットに関し、ブラケットの先端を保護した装置に関するものである。
【背景技術】
【０００２】
店舗などに陳列棚を設置する場合、例えば、図１３の従来の陳列棚の斜視図に示すように、適当な間隔を置いて設置された支柱１０１にそれぞれチャンネル鋼材などからなるサポート部材１０２をタップネジ（図示しない）により固定し、このサポート部材１０２に板状のブラケット１２０を係止し、更にこのブラケット１２０の上に棚板（ガラス板）１０４が載せられる。サポート部材１０２の間には必要に応じてバックボード１０５が設置される。
【０００３】
図１４の縦断側面図に示すように、前記ブラケット１２０の後端部には上下２段の倒Ｌ字形に垂れ下がる係止フック１２１が形成され、又、サポート部材１０２はこれら係止フック１２１が挿抜される上下多段のスリット１０７と、これらスリット１０７から内部に挿入された係止フック１２１が上下に移動できる縦溝１０８とを備える。そして、前記ブラケット１は、サポート部材１０２の前面に形成されたスリット１０７から係止フック１２１を挿入してブラケット１２０を下げるという手順でサポート部材１０２に係止される。
【０００４】
ところで、上記したブラケット１上に載置される棚板１０４として、ガラス板を用いる場合には、図１４に示すように、ガラス板１０４へのクッション材と滑り止めとの機能を有する樹脂製滑り止め材１１０がブラケット１２０の棚板載置面上に嵌め込まれる。上記樹脂製滑り止め材１１０により、ガラス板への衝撃を緩和することができる。
【０００５】
そして、ガラス板１０４を載置するブラケット１２０においては、上記のように、樹脂製滑り止め材１１０を設け、更に、ブラケット１２０の先端を上方に立ち上げて立ち上がり部１２３を形成し、ガラス板１０４の前方への脱落を防止している。
【０００６】
上記した先端を上方に立ち上げたブラケット１２０においては、ガラス板１０４より前方にブラケット１２０の立ち上がり部１２３が位置することになる。このため、人に直接金属製のブラケット１２０が当接することがある。
【０００７】
上記ブラケット１２０は、金属板を打ち抜き加工により形成されている。そして、立ち上がり部１２３は、人に当接しても怪我などしないように、丸みを付けて安全性を確保している。しかしながら、やはり金属製であるので、より安全性を向上させるためには、人に対して柔らかく当接する方が好ましい。
【０００８】
そこで、特許文献１には、金属製ブラケットを用いても人への当接時に、より安全性を向上させた陳列棚用ブラケットの保護装置が提案されている。
【０００９】
特許文献１の保護装置について、図９〜図１２を参照して説明する。図９及び図１０に示すように、この保護装置１３０が用いられる陳列棚用ブラケット１２０は、後端部に、上下２段の倒Ｌ字形に垂れ下がる係止フック１２１が形成されている。この係止フック１２１にはサポート部材１０２のスリット１０７に嵌め込むための矩形状の切り込み１２２が設けられている。
【００１０】
また、ブラケット１２０の先端部は、載置されるガラス板１０４の脱落等を防止するために載置面から上方に立ち上がる立ち上がり部１２３が設けられている。ブラケット１２０は、棚板載置面１２０ａにガラス板１０４へのクッション材と滑り止めとの機能を有する樹脂製滑り止め材１１０が嵌め込まれている。
【００１１】
ブラケット１２０の係止フック１２１をサポート部材１０２のスリット１０７に挿入してブラケット１２０を下げるという手順でサポート部材１０２に係止することで、サポート部材１０２にブラケット１２０が片持ち状に支持される。
【００１２】
そして、樹脂製滑り止め材１１０の上にガラス板１０４を載置させる。上述したように、ブラケット１２０の先端部は、載置されるガラス板１０４の脱落等を防止するために載置面１２０ａから上方に立ち上がる立ち上がり部１２３が設けられているので、ガラス板１０４の前方に立ち上がり部１２３が位置する。
【００１３】
立ち上がり部１２３を含め、ブラケット１２０の先端部に樹脂製の保護装置１３０を装着し、ブラケット１２０先端の金属部から人を保護するものである。更に、保護装置１３０により、ガラス板１０４のコバ面の破損を抑制することもできる。
【００１４】
図１１に示すように、保護装置１３０は、ブラケット１２０の先端の立ち上がり部１２３に装着される保護キャップ部分１３１と、この保護キャップ部分１３１からブラケット１２０の棚板載置面１２０ａまで連接して設けられた保持部１３２と、を備える。保持部１３２には、ブラケット１２０側に開口部１３３が形成されている。
【００１５】
図１２に示すように、保護装置１３０の開口部１３３からブラケット１２０の立ち上がり部１２３を含めブラケット１２０の棚板載置面１２０ａに嵌め込む。そして、この保持部１３２の上にガラス板１０４が載置される。ガラス板１０４の重みで、保持部１３２がブラケット１側へ押し付けられ、保護装置１３０がブラケット１から脱落することを防止している。保護装置１３０は、ＥＶＡ樹脂（エチレン−酢酸ビニル共重合樹脂）により形成されている。また、樹脂製滑り止め材１１０もＥＶＡ樹脂で形成されている。
【００１６】
ブラケット１２０の先端金属部分に保護装置１３０を装着することで、ブラケット１２０の先端金属部から人を保護することができ、安全性を向上させることができる。
【先行技術文献】
【特許文献】
【００１７】
【特許文献１】特許第４９８８３１９号公報
【発明の概要】
【発明が解決しようとする課題】
【００１８】
上記した保護装置は、ブラケットとは別部品であり、保護装置の取り付け忘れや紛失する虞がある。
【００１９】
そこで、この発明は、保護装置の紛失や取り付け忘れがない陳列棚用ブラケットを提供することを課題とする。
【課題を解決するための手段】
【００２０】
この発明は、サポート部材に上下多段に設けられたスリットに、後端部に設けられた係止フックが挿入され片持ち状に支持され、上部に棚板が載置される陳列棚用ブラケットであって、前記ブラケットの先端部に装着する本体部と、この本体部の上部から上方に立ち上がる立ち上がり部と、前記本体部に設けられた挿入部とを有する樹脂製先端部材を備え、前記ブラケットの先端部を前記挿入部に挿入し、前記先端部材を前記ブラケットに装着したことを特徴とする。
【００２１】
また、前記本体部の底面に抜け止め用テーパー部が設けられ、前記ブラケットの先端部に抜け止め用テーパー部が嵌まり込む凹部が設けられ、前記先端部の凹部に抜け止め用テーパー部を嵌め込んで、前記ブラケットの先端部に前記先端部材を装着するように構成できる。
【００２２】
また、前記抜け止め用テーパー部は、前記ブラケットの先端部が挿入される本体部の挿入部の挿入口から立ち上がり部に向かって高さが高くなるようにテーパー状に形成され、前記先端部の凹部は、先端から後端に向かって深さが浅くなるようにテーパー状に形成すればよい。
【００２３】
また、前記抜け止め用テーパー部の立ち上がり部側の端部は底面から直交するように形成され、前記先端部の凹部の先端側は上下方向に直交するように形成するとよい。
【００２４】
また、前記立ち上がり部に空隙部を設ければよい。
【発明の効果】
【００２５】
この発明は、この発明においては、ブラケットの先端部にガラス板のストッパ部分と先端の保護を行う樹脂製先端部材が取り付けられているので、ブラケットの先端を保護する部材の取り付け忘れを無くすことができる。
【図面の簡単な説明】
【００２６】
【図１】この発明の一実施形態に係る陳列棚用ブラケットを示す斜視図である。
【図２】この発明の一実施形態に係る陳列棚用ブラケットを示す分解斜視図である。
【図３】この発明の一実施形態に係る陳列棚用ブラケットを用いた陳列棚を示す斜視図である。
【図４】この発明に用いられる樹脂製先端部材を示し、（ａ）は斜視図、（ｂ）は正面図、（ｃ）は左側面図、（ｄ）は右側面図、（ｅ）は上面図、（ｆ）は（ｄ）のｆ−ｆ線断面図である。
【図５】この発明の一実施形態に係る陳列棚用ブラケットの断面図である。
【図６】この発明の一実施形態に係る陳列棚用ブラケットの各部品を取り外した断面図である。
【図７】この発明の一実施形態に係る陳列棚用ブラケットに樹脂製先端部材を取り付ける状態を示す拡大断面図である。
【図８】この発明の一実施形態に係る陳列棚用ブラケットの先端部を拡大した断面図である。
【図９】従来の陳列棚用ブラケットを示す斜視図である。
【図１０】従来の陳列棚用ブラケットの先端部分を拡大した正面図である。
【図１１】従来の保護装置を示し、（ａ）は上面図、（ｂ）は断面図、（ｃ）は正面図である。
【図１２】従来の陳列棚用ブラケットに保護装置を装着した状態を示す説明図である。
【図１３】陳列棚の斜視図である。
【図１４】陳列棚用ブラケットとサポート部材との係合状態を示す説明図である。
【発明を実施するための形態】
【００２７】
この発明の実施の形態について図面を参照しながら詳細に説明する。なお、図中同一または相当部分には同一符号を付し、説明の重複を避けるためにその説明は繰返さない。
【００２８】
図１及び図２に示すように、この発明の実施形態に用いられる陳列棚用ブラケット１は、後端部に、上下２段以上、この実施形態では２段の倒Ｌ字形に垂れ下がる係止フック１０が形成されている。この係止フック１０には、サポート部材１０２のスリット１０７に嵌め込むための矩形状の切り込み１１が設けられている。そして、この発明においては、ブラケット１の先端にガラス板のストッパ部分と先端の保護を行う樹脂製先端部材２が取り付けられている。この樹脂製先端部材２は、例えば、透明軟質性樹脂で形成される。
【００２９】
先端部材２は、ブラケット１の先端部１３に装着する本体部２１とガラス板の脱落等を防止するために本体部２１の上部の載置面２１ａから上方に立ち上がる立ち上がり部２２が設けられている。この先端部材２は、透明軟質性樹脂で形成されているので、従来の金属製の先端部の立ち上がり部１２３に比べて柔らかく、人が当接しても怪我を防ぐことは可能である。さらに、この実施形態では、クッション性を向上させるために、立ち上がり部２２に空隙部２３、２４を形成し、立ち上がり部２２が撓みやすくしている。
【００３０】
図１に示すように、ブラケット１は、棚板載置面１ａにはガラス板１０４へのクッション材と滑り止めとの機能を有する樹脂製滑り止め材１１０が嵌め込まれている。このブラケット１は、例えば２．６ｍｍ〜３．２ｍｍの板厚の鋼材を打ち抜き加工により形成される。この実施形態では、ブラケット１は、２．６ｍｍの板厚のものを用いた。尚、樹脂製滑り止め材１１０はＥＶＡ樹脂（エチレン−酢酸ビニル共重合樹脂）により形成されている。
【００３１】
従来例で説明した通り、ブラケット１の係止フック１０をサポート部材１０２のスリット１０７に挿入してブラケット１を下げるという手順でサポート部材１０２に係止することで、サポート部材１０２にブラケット１が片持ち状に支持される。
【００３２】
図３に示すように、一対のブラケット１の係止フック１０をそれぞれサポート部材１０２のスリット１０７に挿入して、サポート部材１０２にブラケット１を片持ち状に支持させる。サポート部材１０２に片持ち状に係止されたブラケット１、１にそれぞれ樹脂製滑り止め材１１０を嵌め込ませる。そして、樹脂製滑り止め材１１０の上にガラス板１０４を載置させる。上述したように、ブラケット１の先端部１３は、載置されるガラス板１０４の脱落等を防止するために載置面１ａから上方に立ち上がる立ち上がり部２２を有する先端部材２が装着されている。このため、ガラス板１０４の前方には、先端部材２の立ち上がり部２２が位置することになる。
【００３３】
上記したように、ブラケット１の先端部１３に樹脂製先端部材２を装着し、ブラケット１の先端の金属部から人を保護するとともに、ガラス板１０４の脱落を防止している。更に、先端部材２により、ガラス板１０４のコバ面の破損を抑制することもできる。
【００３４】
図４に示すように、先端部材２は、ブラケット１の先端部１３に装着される本体部２１とガラス板の脱落等を防止するために、本体部２１の上部の載置面２１ａから上方に立ち上がる立ち上がり部２２が設けられている。本体部２１のブラケット１の先端部１３に対向する面には、ブラケット１の板厚に対応した矩形状の挿入部２６が設けられている。
【００３５】
本体部２１の底面には、抜け止め用テーパー部２５が設けられている。この抜け止め用テーパー部２５は、ブラケット１の先端部１３が挿入される挿入口２６ａから立ち上がり部２２の方向に向かって高さが高くなるように形成されている。抜け止め用テーパー部２５の立ち上がり部２２側の端部２５ａは底面から直交するように形成されている。
【００３６】
本体部２１は、挿入口２６ａから先端に向かって拡がるように形成され、載置面２１ａも先端に向かって拡がる台形形状に形成されている。
【００３７】
この実施形態では、ブラケット１の板厚が２．６ｍｍなので、挿入部２６は、幅（ｔ）２．６ｍｍの矩形孔で構成されている。
【００３８】
立ち上がり部２２は、載置面２１ａから４ｍｍ程度立ち上がり、先端まで５．５〜６．０ｍｍ程度長さを有している。そして、立ち上がり部２２の先端並びに側面は面取り形状に形成され、人にエッジが当たることを防いでいる。立ち上がり部２２には、空隙部２３、２４が設けられ、立ち上がり部２２の先端部のクッション性を向上させている。先端部と空隙部２３、２４迄の距離（ｂ）は、この実施形態では、１ｍｍとしている。また、空隙部２３の上端の幅（ａ）は２．５ｍｍであり、上端から下に向かって７６°のテーパー形状に形成されている。
【００３９】
図６及び図７に示すように、ブラケット１の先端部１３の下方には先端から後端に向かって深さが浅くなるテーパー状凹部１２が設けられている。この凹部１２の先端側は上下方向に直交している。この凹部１２は、前述した先端部材２に設けられた抜け止め用テーパー部２５が嵌まり込む形状に形成されている。
【００４０】
図６及び図７に示すように、ブラケット１の先端部１３に先端部材２の挿入口２６ａを合わせて、先端部材２の挿入部２６内にブラケット１の先端部１３を挿入する。この時、先端部材２の底面には、抜け止め用テーパー部２５があるが、抜け止め用テーパー部２５は挿入口２６ａ側から先端に向かってテーパー状に形成されているので、ブラケット１の先端部１３が挿入部２６に挿入される。
【００４１】
図８に示すように、先端部材２の挿入部２６内にブラケット１の先端部１３が完全に挿入されると、ブラケット１の凹部１２に、抜け止め用テーパー部２５が嵌まり込む。一旦、ブラケット１の凹部１２に抜けど止め用テーパー部２５が嵌まり込むと、テーパー形状により、ブラケット１から先端部材２が外れることはない。
【００４２】
この陳列棚用ブラケット１は、出荷の際には、ブラケット１の先端部１３に先端部材２が装着された状態にしている。そして、一度装着した先端部材２は脱着できないように構成しているので、先端部材２が外れることもなく、安全性を確保することができる。
【００４３】
図５及び図８に示すように、ブラケット１の先端部１３に先端部材２を装着した後、載置面１ａに樹脂製滑り止め材１１０を嵌め込み、陳列棚用ブラケットが構成される。
【００４４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００４５】
１        ：ブラケット
１ａ      ：載置面
２        ：先端部材
１０      ：係止フック
１１      ：切り込み
１２      ：凹部
１３      ：先端部
２１      ：本体部
２１ａ    ：載置面
２２      ：立ち上がり部
２３      ：空隙部
２４      ：空隙部
２５      ：抜け止め用テーパー部
２５ａ    ：端部
２６      ：挿入部
２６ａ    ：挿入口
１０１    ：支柱
１０２    ：サポート部材
１０４    ：ガラス板
１０５    ：バックボード
１０７    ：スリット
１０８    ：縦溝
１１０    ：樹脂製滑り止め材
【図１】
2018183244.tif 000003
【図２】
2018183244.tif 000004
【図３】
2018183244.tif 000005
【図４】
2018183244.tif 000006
【図５】
2018183244.tif 000007
【図６】
2018183244.tif 000008
【図７】
2018183244.tif 000009
【図８】
2018183244.tif 000010
【図９】
2018183244.tif 000011
【図１０】
2018183244.tif 000012
【図１１】
2018183244.tif 000013
【図１２】
2018183244.tif 000014
【図１３】
2018183244.tif 000015
【図１４】
2018183244.tif 000016